【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
前記ビデオデータをメモリに記憶することと、
複数の深度イントラコーディングモードのすべてが前記ビデオデータに対してイネーブルにされているか、いずれもがイネーブルにされていないかを指示するシンタックス要素を、１つまたは複数のプロセッサが復号することと、ここで、前記深度イントラコーディングモードは、高効率ビデオコーディング（ＨＥＶＣ）イントラコーディングモードとは異なり、
前記シンタックス要素を復号した後に、前記深度イントラコーディングモードのすべてがイネーブルにされていることを前記シンタックス要素が指示することに基づいて、前記深度イントラコーディングモードのためのシンタックス要素を含む深度モデリングテーブルを、前記１つまたは複数のプロセッサが復号することと、ここで、前記深度モデリングテーブルは、前記ＨＥＶＣイントラコーディングモードのためのシンタックス要素を含むシンタックステーブルから分離しており、
前記深度モデリングテーブル内の１つまたは複数のシンタックス要素に基づき前記深度イントラコーディングモードのうちの１つを、前記１つまたは複数のプロセッサが選択することと、
前記選択された深度イントラコーディングモードを使用して前記ビデオデータについての深度データを、前記１つまたは複数のプロセッサが復号することと、
を備える方法。
【請求項２】
前記深度イントラコーディングモードは、深度モデリングモード（ＤＭＭ）、簡略深度コーディング（ＳＤＣ）モード、またはチェーンコーディングモード（ＣＣＭ）のうちの少なくとも２つを含む請求項１に記載の方法。
【請求項３】
前記深度イントラコーディングモードは、前記ＤＭＭの少なくとも１つのサブモードと前記ＳＤＣモードの少なくとも３つのサブモードとを含む請求項２に記載の方法。
【請求項４】
前記深度モデリングテーブル内の前記１つまたは複数のシンタックス要素は、前記深度データを復号するための、深度モデリングモード（ＤＭＭ）のサブモード、簡略深度コーディング（ＳＤＣ）モードのサブモード、またはチェーンコーディングモード（ＣＣＭ）のうちの１つを指示する請求項１に記載の方法。
【請求項５】
前記深度モデリングテーブルは、前記選択された深度イントラコーディングモードのための前記深度データの残差情報を指示するシンタックス要素のセットを含み、ここで、前記シンタックス要素のセットは、前記深度データの残差値が存在しているかどうかを指示するシンタックス要素を含み、前記深度データの前記残差値が存在する場合には、前記シンタックス要素のセットは、前記深度データの前記残差値の絶対値と符号とを指示するシンタックス要素をさらに含む請求項１に記載の方法。
【請求項６】
同じ前記シンタックス要素のセットは、前記深度イントラコーディングモードのいずれかのための残差情報を指示する請求項５に記載の方法。
【請求項７】
前記深度データを復号することは、前記深度データの前記残差値と、近傍参照サンプルとに基づき、前記近傍参照サンプルをフィルタリングすることなく、前記選択された深度イントラコーディングモードに従って前記ビデオデータの深度値を再構築することを備える請求項５に記載の方法。
【請求項８】
前記深度イントラコーディングモードとは異なる前記ＨＥＶＣイントラコーディングモードは、ＨＥＶＣイントラコーディングモード、ＨＥＶＣイントラパルス符号変調（Ｉ＿ＰＣＭ）モード、ＨＥＶＣイントラコーディングモードとして定義されている深度モデリングモード（ＤＭＭ）のサブモード、またはＨＥＶＣイントラコーディングモードとして定義されているチェーンコーディングモード（ＣＣＭ）のうちの１つまたは複数を含む請求項１に記載の方法。
【請求項９】
前記深度イントラコーディングモードのすべてがイネーブルにされているか、いずれもがイネーブルにされていないかを指示する前記シンタックス要素は、前記ビデオデータのビデオパラメータセット（ＶＰＳ）、シーケンスパラメータセット（ＳＰＳ）、またはピクチャパラメータセット（ＰＰＳ）のうちの１つに含まれる請求項１に記載の方法。
【請求項１０】
前記深度モデリングテーブルを復号することは、前記ビデオデータのコーディングユニット（ＣＵ）レベルまたは予測ユニット（ＰＵ）レベルのうちの一方で前記深度モデリングテーブルを復号することを備える請求項１に記載の方法。
【請求項１１】
ビデオデータを記憶するように構成されたメモリと、
１つまたは複数のプロセッサと、
を備え、前記１つまたは複数のプロセッサは、
複数の深度イントラコーディングモードのすべてがイネーブルにされているか、いずれもがイネーブルにされていないかを指示するシンタックス要素を復号し、ここで、前記深度イントラコーディングモードは、高効率ビデオコーディング（ＨＥＶＣ）イントラコーディングモードとは異なり、
前記シンタックス要素を復号した後に、前記深度イントラコーディングモードのすべてが前記ビデオデータに対してイネーブルにされていることを前記シンタックス要素が指示することに基づいて、前記深度イントラコーディングモードのためのシンタックス要素を含む深度モデリングテーブルを復号し、ここで、前記深度モデリングテーブルは、前記ＨＥＶＣイントラコーディングモードのためのシンタックス要素を含むシンタックステーブルから分離しており、
前記深度モデリングテーブル内の１つまたは複数のシンタックス要素に基づき前記深度イントラコーディングモードのうちの１つを選択し、
前記選択された深度イントラコーディングモードを使用して前記ビデオデータについての深度データを復号するように構成された、ビデオ復号デバイス。
【請求項１２】
前記深度イントラコーディングモードは、深度モデリングモード（ＤＭＭ）、簡略深度コーディング（ＳＤＣ）モード、またはチェーンコーディングモード（ＣＣＭ）のうちの少なくとも２つを含む請求項１１に記載のデバイス。
【請求項１３】
前記深度イントラコーディングモードは、前記ＤＭＭの少なくとも１つのサブモードと前記ＳＤＣモードの少なくとも３つのサブモードとを含む請求項１２に記載のデバイス。
【請求項１４】
前記深度モデリングテーブル内の前記１つまたは複数のシンタックス要素は、前記深度データを復号するための、深度モデリングモード（ＤＭＭ）のサブモード、簡略深度コーディング（ＳＤＣ）モードのサブモード、またはチェーンコーディングモード（ＣＣＭ）のうちの１つを指示する請求項１１に記載のデバイス。
【請求項１５】
前記深度モデリングテーブルは、前記選択された深度イントラコーディングモードのための前記深度データの残差情報を指示するシンタックス要素のセットを含み、ここで、前記シンタックス要素のセットは、前記深度データの残差値が存在しているかどうかを指示するシンタックス要素を含み、前記深度データの前記残差値が存在する場合には、前記シンタックス要素のセットは、前記深度データの前記残差値の絶対値と符号とを指示するシンタックス要素をさらに含む請求項１１に記載のデバイス。
【請求項１６】
同じ前記シンタックス要素のセットは、前記深度イントラコーディングモードのいずれかのための残差情報を指示する請求項１５に記載のデバイス。
【請求項１７】
前記１つまたは複数のプロセッサは、前記深度データの前記残差値と、近傍参照サンプルとに基づき、前記近傍参照サンプルをフィルタリングすることなく、前記選択された深度イントラコーディングモードに従って前記ビデオデータの深度値を再構築するようにさらに構成される請求項１５に記載のデバイス。
【請求項１８】
前記深度イントラコーディングモードとは異なる前記ＨＥＶＣイントラコーディングモードは、ＨＥＶＣイントラコーディングモード、ＨＥＶＣイントラパルス符号変調（Ｉ＿ＰＣＭ）モード、ＨＥＶＣイントラコーディングモードとして定義されている深度モデリングモード（ＤＭＭ）のサブモード、またはＨＥＶＣイントラコーディングモードとして定義されているチェーンコーディングモード（ＣＣＭ）のうちの１つまたは複数を含む請求項１１に記載のデバイス。
【請求項１９】
前記深度イントラコーディングモードのいずれも前記ビデオデータに対してイネーブルにされていないことを指示する前記シンタックス要素を復号した後に、前記１つまたは複数のプロセッサは、前記深度モデリングテーブルを復号することなく、前記深度イントラコーディングモードとは異なる前記ＨＥＶＣイントラコーディングモードのうちの１つを選択し、前記選択されたＨＥＶＣイントラコーディングモードを使用して前記ビデオデータに対する前記深度データを復号するようにさらに構成される請求項１１に記載のデバイス。
【請求項２０】
前記選択されたＨＥＶＣイントラコーディングモードは、ＨＥＶＣイントラコーディングモードとして定義されているチェーンコーディングモード（ＣＣＭ）を含み、前記１つまたは複数のプロセッサは、前記ＣＣＭに対する前記深度データの残差情報を指示する１つまたは複数のシンタックス要素を含むチェーンコーディングテーブルを復号するようにさらに構成される請求項１９に記載のデバイス。
【請求項２１】
前記深度イントラコーディングモードのすべてがイネーブルにされているか、いずれもがイネーブルにされていないかを指示する前記シンタックス要素は、前記ビデオデータのビデオパラメータセット（ＶＰＳ）、シーケンスパラメータセット（ＳＰＳ）、またはピクチャパラメータセット（ＰＰＳ）のうちの１つに含まれる請求項１１に記載のデバイス。
【請求項２２】
前記１つまたは複数のプロセッサは、前記ビデオデータのコーディングユニット（ＣＵ）レベルまたは予測ユニット（ＰＵ）レベルのうちの一方で前記深度モデリングテーブルを復号するようにさらに構成される請求項１１に記載のデバイス。
【請求項２３】
複数の深度イントラコーディングモードのすべてが前記ビデオデータに対してイネーブルにされているか、いずれもがイネーブルにされていないかを指示するシンタックス要素を復号するための手段と、ここで、前記深度イントラコーディングモードは、高効率ビデオコーディング（ＨＥＶＣ）イントラコーディングモードとは異なり、
前記シンタックス要素を復号した後に、前記深度イントラコーディングモードのすべてがイネーブルにされていることを前記シンタックス要素が指示することに基づいて、前記深度イントラコーディングモードのためのシンタックス要素を含む深度モデリングテーブルを復号するための手段と、ここで、前記深度モデリングテーブルは、前記ＨＥＶＣイントラコーディングモードのためのシンタックス要素を含むシンタックステーブルから分離しており、
前記深度モデリングテーブル内の１つまたは複数のシンタックス要素に基づき前記深度イントラコーディングモードのうちの１つを選択するための手段と、
前記選択された深度イントラコーディングモードを使用して前記ビデオデータについての深度データを復号するための手段と、
を備えるビデオ復号デバイス。
【請求項２４】
ビデオデータを復号するための命令を備える非一時的なコンピュータ可読媒体であって、前記命令は、実行されると、１つまたは複数のプロセッサに、
複数の深度イントラコーディングモードのすべてが前記ビデオデータに対してイネーブルにされているか、いずれもがイネーブルにされていないかを指示するシンタックス要素を復号することと、ここで、前記深度イントラコーディングモードは、高効率ビデオコーディング（ＨＥＶＣ）イントラコーディングモードとは異なり、
前記シンタックス要素を復号した後に、前記深度イントラコーディングモードのすべてがイネーブルにされていることを前記シンタックス要素が指示することに基づいて、前記深度イントラコーディングモードのためのシンタックス要素を含む深度モデリングテーブルを復号することと、ここで、前記深度モデリングテーブルは、前記ＨＥＶＣイントラコーディングモードのためのシンタックス要素を含むシンタックステーブルから分離しており、
前記深度モデリングテーブル内の１つまたは複数のシンタックス要素に基づき前記深度イントラコーディングモードのうちの１つを選択することと、
前記選択された深度イントラコーディングモードを使用して前記ビデオデータについての深度データを復号することと、
を行わせる、非一時的なコンピュータ可読媒体。
【請求項２５】
ビデオデータを符号化する方法であって、
前記ビデオデータをメモリに記憶することと、
複数の深度イントラコーディングモードのうちの選択されたモードを使用して前記ビデオデータに対する深度データを、１つまたは複数のプロセッサが符号化することと、ここで、前記深度イントラコーディングモードは、高効率ビデオコーディング（ＨＥＶＣ）イントラコーディングモードとは異なり、
前記深度イントラコーディングモードのすべてが前記ビデオデータに対してイネーブルにされていることを指示するシンタックス要素を、前記１つまたは複数のプロセッサが符号化することと、
前記選択された深度イントラコーディングモードを指示する１つまたは複数のシンタックス要素を含む前記深度イントラコーディングモードのためのシンタックス要素を含む深度モデリングテーブルを、前記１つまたは複数のプロセッサが符号化することと、
を備え、前記深度モデリングテーブルは、前記ＨＥＶＣイントラコーディングモードのためのシンタックス要素を含むシンタックステーブルから分離している、方法。
【請求項２６】
前記深度イントラコーディングモードは、深度モデリングモード（ＤＭＭ）、簡略深度コーディング（ＳＤＣ）モード、またはチェーンコーディングモード（ＣＣＭ）のうちの少なくとも２つを含む請求項２５に記載の方法。
【請求項２７】
前記深度イントラコーディングモードは、前記ＤＭＭの少なくとも１つのサブモードと前記ＳＤＣモードの少なくとも３つのサブモードとを含む請求項２６に記載の方法。
【請求項２８】
前記深度モデリングテーブル内の前記１つまたは複数のシンタックス要素は、前記深度データを符号化するために使用される深度モデリングモード（ＤＭＭ）のサブモード、簡略深度コーディング（ＳＤＣ）モードのサブモード、またはチェーンコーディングモード（ＣＣＭ）のうちの１つを指示する請求項２５に記載の方法。
【請求項２９】
前記深度モデリングテーブルは、前記選択された深度イントラコーディングモードのための前記深度データの残差情報を指示するシンタックス要素のセットを含み、ここで、前記シンタックス要素のセットは、前記深度データの残差値が存在しているかどうかを指示するシンタックス要素を含み、前記深度データの前記残差値が存在する場合には、前記シンタックス要素のセットは、前記深度データの前記残差値の絶対値と符号とを指示するシンタックス要素をさらに含む請求項２５に記載の方法。
【請求項３０】
同じ前記シンタックス要素のセットは、前記深度イントラコーディングモードのいずれかのための残差情報を指示するように構成される請求項２９に記載の方法。
【請求項３１】
前記深度データを符号化することは、前記ビデオデータの元の深度値と、近傍参照サンプルとに基づき、前記近傍参照サンプルをフィルタリングすることなく、前記選択された深度イントラコーディングモードに従って前記深度データの前記残差値を生成することを備える請求項２９に記載の方法。
【請求項３２】
前記シンタックス要素は、前記深度イントラコーディングモードのすべてが前記ビデオデータに対してイネーブルにされていること、または前記深度イントラコーディングモードのいずれもが前記ビデオデータに対してイネーブルにされていないことを指示するように構成される請求項２５に記載の方法。
【請求項３３】
前記深度イントラコーディングモードのすべてがイネーブルにされていることを指示する前記シンタックス要素を符号化することは、前記ビデオデータのビデオパラメータセット（ＶＰＳ）、シーケンスパラメータセット（ＳＰＳ）、またはピクチャパラメータセット（ＰＰＳ）のうちの１つに前記シンタックス要素を符号化することを備える請求項２５に記載の方法。
【請求項３４】
前記深度モデリングテーブルを符号化することは、前記ビデオデータのコーディングユニット（ＣＵ）レベルまたは予測ユニット（ＰＵ）レベルのうちの一方で前記深度モデリングテーブルを符号化することを備える請求項２５に記載の方法。
【請求項３５】
ビデオデータを記憶するように構成されたメモリと、
１つまたは複数のプロセッサと、
を備え、前記１つまたは複数のプロセッサは、
複数の深度イントラコーディングモードのうちの選択されたモードを使用して前記ビデオデータに対する深度データを符号化し、ここで、前記深度イントラコーディングモードは、高効率ビデオコーディング（ＨＥＶＣ）イントラコーディングモードとは異なり、
前記複数の深度イントラコーディングモードのすべてが前記ビデオデータに対してイネーブルにされていることを指示するシンタックス要素を符号化し、
前記選択された深度イントラコーディングモードを指示する１つまたは複数のシンタックス要素を含む前記深度イントラコーディングモードのためのシンタックス要素を含む深度モデリングテーブルを符号化する
ように構成され、前記深度モデリングテーブルは、前記ＨＥＶＣイントラコーディングモードのためのシンタックス要素を含むシンタックステーブルから分離している
ビデオ符号化デバイス。
【請求項３６】
前記深度イントラコーディングモードは、深度モデリングモード（ＤＭＭ）、簡略深度コーディング（ＳＤＣ）モード、またはチェーンコーディングモード（ＣＣＭ）のうちの少なくとも２つを含む請求項３５に記載のデバイス。
【請求項３７】
前記深度イントラコーディングモードは、前記ＤＭＭの少なくとも１つのサブモードと前記ＳＤＣモードの少なくとも３つのサブモードとを含む請求項３６に記載のデバイス。
【請求項３８】
前記深度モデリングテーブル内の前記１つまたは複数のシンタックス要素は、前記深度データを符号化するために使用される深度モデリングモード（ＤＭＭ）のサブモード、簡略深度コーディング（ＳＤＣ）モードのサブモード、またはチェーンコーディングモード（ＣＣＭ）のうちの１つを指示する請求項３５に記載のデバイス。
【請求項３９】
前記深度モデリングテーブルは、前記選択された深度イントラコーディングモードのための前記深度データの残差情報を指示するシンタックス要素のセットを含み、ここで、前記シンタックス要素のセットは、前記深度データの残差値が存在しているかどうかを指示するシンタックス要素を含み、前記深度データの前記残差値が存在する場合には、前記シンタックス要素のセットは、前記深度データの前記残差値の絶対値と符号とを指示するシンタックス要素をさらに含む請求項３５に記載のデバイス。
【請求項４０】
同じ前記シンタックス要素のセットは、前記深度イントラコーディングモードのいずれかのための残差情報を指示するように構成される請求項３９に記載のデバイス。
【請求項４１】
前記１つまたは複数のプロセッサは、前記ビデオデータの元の深度値と、近傍参照サンプルとに基づき、前記近傍参照サンプルをフィルタリングすることなく、前記選択された深度イントラコーディングモードに従って前記深度データの前記残差値を生成するようにさらに構成される請求項３９に記載のデバイス。
【請求項４２】
前記シンタックス要素は、前記深度イントラコーディングモードのすべてが前記ビデオデータに対してイネーブルにされていること、または前記深度イントラコーディングモードのいずれもが前記ビデオデータに対してイネーブルにされていないことを指示するように構成される請求項３５に記載のデバイス。
【請求項４３】
前記１つまたは複数のプロセッサは、前記ビデオデータのビデオパラメータセット（ＶＰＳ）、シーケンスパラメータセット（ＳＰＳ）、またはピクチャパラメータセット（ＰＰＳ）のうちの１つに前記深度イントラコーディングモードのすべてがイネーブルにされていることを指示する前記シンタックス要素を符号化するようにさらに構成される請求項３５に記載のデバイス。
【請求項４４】
前記１つまたは複数のプロセッサは、前記ビデオデータのコーディングユニット（ＣＵ）レベルまたは予測ユニット（ＰＵ）レベルのうちの一方で前記深度モデリングテーブルを符号化するようにさらに構成される請求項３５に記載のデバイス。